(57)【要約】【課題】含浸ダイの繊維束のノズル切れを抑止し、高品質の長繊維強化熱可塑性樹脂成形材料の生産性の向上を図る。【解決手段】含浸槽１内において強化繊維の繊維束４を引き取りながら溶融熱可塑性樹脂を含浸させて賦形ノズルで賦形する含浸ダイ１００において、含浸槽内部を前記繊維束４の引取り方向と実質的に並行な仕切部材５によって賦形ノズルのピッチと実質的に同ピッチで区切り繊維束４を賦形ノズルに送られる単位で区分けする。【選択図】図２
2007176086.tif 000002
【特許請求の範囲】
【請求項１】
含浸槽内において強化繊維の繊維束を引き取りながら溶融熱可塑性樹脂を含浸させて賦形ノズルで賦形する含浸ダイにおいて、含浸槽内部が前記繊維束の引取り方向と実質的に並行な仕切部材によって区切られていることを特徴とする長繊維強化熱可塑性樹脂成形材料用含浸ダイ。
【請求項２】
含浸槽内部の仕切部材が、強化繊維の繊維束を賦形ノズルに送られる単位で区分けするように、賦形ノズルのピッチと実質的に同ピッチで区切られている請求項１に記載の含浸ダイ。
【請求項３】
仕切部材と含浸槽の底部内面及び／又は上部内面との間に隙間を有する請求項１又は２に記載の含浸ダイ。
【請求項４】
隙間が平均して０．１〜１．５ｍｍである請求項３に記載の含浸ダイ。
【請求項５】
含浸槽への溶融樹脂供給口が、含浸槽内部の仕切部材によって区切られた区間毎に１つ以上有する請求項１〜４のいずれか１項に記載の含浸ダイ。
【請求項６】
含浸槽内部に開繊バーが繊維束の引取り方向と直交する方向に設けられており、仕切部材が該開繊バーで係止されている請求項１〜５のいずれか１項に記載の含浸ダイ。
【請求項７】
請求項１〜６のいずれか１項に記載の含浸ダイを使用して長繊維強化熱可塑性樹脂成形材料を製造することを特徴とする長繊維強化熱可塑性樹脂成形材料の製造方法。
【発明の詳細な説明】
【技術分野】
【０００１】
本発明は、長繊維強化熱可塑性樹脂成形材料用含浸ダイ及びそれを用いた製造方法に関する。
【背景技術】
【０００２】
従来より、連続した強化用長繊維を引き取りながら溶融樹脂を含浸させる長繊維強化熱可塑性樹脂材料の製造においては、生産性向上のために複数本のロッドに相当する繊維束を含浸ダイに通過させ、個々の繊維束を賦形ノズルに通して生産することが一般的である。
【０００３】
特許文献１には、長繊維強化熱可塑性樹脂材料の製造用含浸ダイとして、中空の略箱状に形状された含浸ダイの内部空間のサイズが、凡そ縦３０〜１００ｃｍ、横２０〜１００ｃｍ、深さ１〜１０ｃｍ程度であることが記載されている。この含浸ダイは、図７及び図８に示すようにその内部に溶融樹脂を収納する空間（含浸槽）１を有し、溶融樹脂を上記空間内に供給する樹脂供給経路９と、連続した強化繊維の繊維束４を上記空間に連続して供給するための複数個の繊維束導入孔７と、溶融樹脂中を通過する繊維束を外部に引き抜くための複数個の引抜孔８とが、前記含浸槽の外壁の所定の位置に設けられており、繊維束導入孔７から含浸槽内に導入された繊維束４を引抜孔８に向かって引き取る間に、緊張された繊維束を開繊バー１０で開繊して溶融樹脂を内部まで含浸させて引抜孔８（賦形ダイ）で賦形しながら引き取るものである。
【特許文献１】特開２００３−３０５７７９号公報
【発明の開示】
【発明が解決しようとする課題】
【０００４】
しかしながら、上記含浸ダイでは、図８に示すように繊維束導入孔から前記含浸槽に導入された複数の繊維束は、仕切られていない一つの含浸槽内を横方向に略等ピッチで並んで通過する間に各々溶融樹脂が含浸されて繊維強化ロッドとなり、引抜孔から含浸ダイ外に引き取られる。そのため、複数の繊維束のピッチを生産性向上などの理由で狭くすると、含浸ダイ内部でこれらの繊維束が接触し、毛羽を発生してノズル切れを生じたり、ノズル切れによって含浸ダイ内に残留した繊維束が、隣りの引き取り走行中の繊維束に絡まって更なるノズル切れを発生させ、生産が阻害されるなどの問題があった。
【０００５】
また、このように繊維束の破断が発生すると、含浸槽内に、繊維束の引取り方向を横断する溶融樹脂の流れが生じるため、含浸槽内の溶融樹脂に内圧分布が生じ例えば含浸槽の横方向（図８の縦方向）における側部と中央部など含浸槽の位置によって溶融樹脂の含浸レベルに著しい差が生じ、品質安定性を得ることが困難な場合があった。
【０００６】
本発明は上記問題に鑑みてなされたものであり、本発明の目的は、繊維束の接触、交差による繊維の切断や、含浸ノズルによる繊維の切れ（ノズル切れ）を抑止し、溶融樹脂の流れ性を良好にして、長繊維強化熱可塑性樹脂成形材料における繊維と樹脂との含浸性を向上させることにある。
【課題を解決するための手段】
【０００７】
本発明の要旨は以下のとおりである。
（１）含浸槽内において強化繊維の繊維束を引き取りながら溶融熱可塑性樹脂を含浸させて賦形ノズルで賦形する含浸ダイにおいて、含浸槽内部が前記繊維束の引取り方向と実質的に並行な仕切部材によって区切られていることを特徴とする長繊維強化熱可塑性樹脂成形材料用含浸ダイ。
上記含浸ダイによれば、含浸槽内に設置された仕切部材によって、含浸槽内を引き取られる繊維束周囲での、引取り方向を横断する溶融樹脂の流れを抑止することができ、かつ仕切部材で区切られた領域を超えて繊維束が接触、交差することを回避できるようになり、ノズル切れを抑止することが可能となる。
（２）含浸槽内部の仕切部材が、強化繊維の繊維束を賦形ノズルに送られる単位で区分けするように、賦形ノズルのピッチと実質的に同ピッチで区切られている上記（１）に記載の含浸ダイ。
これによれば、含浸槽内を賦形ノズル単位に区分けすることで賦形ノズル毎に区切られた領域を超えて繊維束が接触、交差することを回避できるようになり、ノズル切れをより一層抑止することが可能となる。さらに含浸槽内を仕切部材で賦形ノズルと同一ピッチで規則的に区切ることで、賦形ノズル間の差異をさらに抑えることが可能になる。
（３）仕切部材と含浸槽の底部内面及び／又は上部内面との間に隙間を有する上記（１）又は（２）に記載の含浸ダイ。
これによれば、仕切部材で仕切られた領域を越えて溶融樹脂の行き来を可能にすることで、１つの賦形ノズルが詰まった際の溶融樹脂の滞留抑止効果が得られるとともに、このように隙間を設けても繊維束周囲における引取り方向を横断する溶融樹脂の流れは仕切部材で抑制されることで、糸切れした繊維が近傍の他の繊維束位置まで流動して交差し更なる糸切れを引き起こすのを防止する。
（４）隙間が平均して０．１〜１．５ｍｍである上記（３）に記載の含浸ダイ。
（５）含浸槽への溶融樹脂供給口が、含浸槽内部の仕切部材によって区切られた区間毎に１つ以上有する上記（１）〜（４）のいずれかに記載の含浸ダイ。
これによれば、区切られた各区画毎に溶融樹脂を供給することで各区画毎の溶融樹脂流量の不均一や流動状態の違いからくるばらつきを抑止して好適な含浸を得ることが可能となる。また仕切部材と底部内面との微小な隙間によって溶融樹脂が完全には遮断されないことで、滞留による溶融樹脂の劣化を抑止できる。
（６）含浸槽内部に開繊バーが繊維束の引取り方向と直交する方向に設けられており、仕切部材が該開繊バーで係止されている上記（１）〜（５）のいずれかに記載の長繊維強化熱可塑性樹脂成形材料用含浸ダイ。
（７）請求項１〜６のいずれかに記載の含浸ダイを使用して長繊維強化熱可塑性樹脂成形材料を製造することを特徴とする長繊維強化熱可塑性樹脂成形材料の製造方法。
【発明の効果】
【０００８】
本発明によれば、前記したように含浸槽内に設置された仕切部材によって、繊維束の周囲における引取り方向を横断する溶融樹脂の流れを抑止して繊維束に溶融樹脂を均一に含浸させ、かつ仕切部材で区切られた領域を超えて繊維束が接触、交差することを回避させて繊維束のノズル切れを抑止できるので、高品質の長繊維強化熱可塑性樹脂成形材料を生産性よく製造できる。
【０００９】
さらに、含浸槽内を上記仕切部材で賦形ノズル単位に賦形ノズルと同一ピッチで区分けすることにより、賦形ノズル毎に区切られた領域を超えて繊維束が接触、交差するのを回避し、かつ賦形ノズル間の差異をさらに抑えることが可能となるので、より高品質の長繊維強化熱可塑性樹脂成形材料を得ることができる。
【発明を実施するための最良の形態】
【００１０】
本発明において使用する強化繊維としては、ガラス繊維、炭素繊維、アラミド繊維、セラミック繊維などを単独あるいは併用して使用することができる。中でもガラス繊維はその特性とコストなどの点で広く使用されており好ましい。これらの強化繊維は、モノフィラメントを集束してなる繊維束として使用され、前記モノフィラメントとしては平均径４〜３０μｍが好ましく、より好ましくは７〜２５μｍである。モノフィラメントの平均径が４μｍ未満では、得られる長繊維強化熱可塑性樹脂成形材料（以下、長繊維強化樹脂材料とする）がコスト高になり、３０μｍ超では得られる長繊維強化樹脂材料の機械的物性が劣るために好ましくない。
【００１１】
また、本発明で使用する繊維束は、１００〜２０，０００本程度のモノフィラメントを集束したものである。集束するモノフィラメントが、１００本未満であると生産性が劣り、２０，０００本を超えると繊維束が太くなるために溶融樹脂をモノフィラメント間に均一に含浸させることが困難になる。
【００１２】
本発明において上記繊維束に含浸させる熱可塑性樹脂としては、特に制限はなく、一般に市販されているものが使用できるが、含浸性、コスト及び物性の点からポリオレフィン系樹脂、ポリアミド系樹脂、ポリエステル系樹脂、ポリカーボネート樹脂、ポリフェニレンサルファイド樹脂、ポリスチレン系樹脂が適しており、特にポリオレフィン系樹脂、ポリアミド系樹脂、ポリエステル系樹脂が好適である。
【００１３】
ポリオレフィン系樹脂としては、例えば、ポリプロピレン、ポリエチレンなどが好ましい。ポリアミド系樹脂としては、例えば、ナイロン６．６、ナイロン６、ナイロン１２、ＭＸＤナイロンなどが好ましい。ポリエステル系樹脂としては、例えば、ポリエチレンテレフタレート、ポリブチレンテレフタレートなどが好ましい。これらの樹脂には着色剤、変性剤、酸化防止剤及び耐紫外線剤などの添加剤や、炭酸カルシウム、タルク、マイカなどのフィラーを混合して用いても差し支えない。
【００１４】
本発明で得られる長繊維強化樹脂材料は、例えば、太さが０．２〜４．０ｍｍで長さが３〜５０ｍｍのペレット状や針状物もしくは線材状物、連続又は非連続のテープ又はシート状物が挙げられる。また、強化繊維の含有率は得られる長繊維強化樹脂材料の用途等によって変わり特定されないが通常は１５〜８０ｖｏｌ％である。強化繊維の含有率が上記範囲であれば、長繊維強化樹脂材料の高い補強効果が得られ、該長繊維強化樹脂材料から高強度の成形物を得ることができる。
【００１５】
次に、本発明の好ましい実施の形態を図面に従ってさらに詳細に説明する。図１は本発明の好ましい長繊維強化樹脂材料製造用含浸ダイ（以下、本含浸ダイとする）１００の概略な断面説明図（図２のＡ−Ａ部の断面図）であり、図２は本含浸ダイ１００の平面図である。なお、図７の含浸ダイと同じ構成要素には同一の符号を付して説明する。
【００１６】
本含浸ダイは、図示の如く溶融樹脂が収納される箱状の含浸槽１を有し、連続した強化繊維の繊維束４を含浸槽１に連続して供給するための複数個の繊維束導入孔７と、溶融樹脂中を通過する繊維束４を外部に引き抜くための複数個の引抜孔８とが、前記含浸槽１の外壁の所定の位置に設けられている。すなわち、図２に示す如く複数個の繊維束導入孔７が含浸槽１の入口板２に所定の間隔をおいて横方向に並べて設けられており、該繊維束導入孔７に対応して引抜孔８が出口板３に同様に設けられており、繊維束導入孔７から含浸槽内に導入された繊維束４を引抜孔８に向かって引き取る間に、含浸槽１内に配置された開繊バー１０で開繊しながら繊維束４に溶融樹脂を含浸させ、引抜孔８で余分の溶融樹脂をしごいて除いて賦形し、含浸ダイ１００から連続的に抜き取るように構成されている。したがって、上記引抜孔８は溶融樹脂が含浸された繊維束４を所定の断面形状に成形する賦形ノズルであり、含浸槽１の出口板３に直接設けてもよいし、あるいは賦形ダイとして出口板３に取り付けてもよい。上記した含浸ダイの構成は従来公知の含浸ダイと実質的に同様である。
【００１７】
上記含浸室１の外壁は、鉄、ニッケル、クロムなどの各種金属メッキした鉄、ステンレススチールなどの材料から形成することができる。含浸室１の大きさは特定されないが、縦１０〜２００ｃｍ、横１０〜２００ｃｍ、深さ１〜５０ｃｍ程度である。この含浸室１の内部には繊維束４を開繊して溶融樹脂を含浸しやすくするための開繊装置が設置されている。この開繊装置としては、例示する開繊バー１０が好ましく使用でき、３〜１０本程度の開繊バー１０が含浸槽１内に所定の間隔をおいて繊維束４の引取り方向に対してほぼ直角に設けられる。この開繊バー１０は、例えば鉄、鋼製の棒状体で、引き取りによって緊張している繊維束４がこれらの開繊バー１０に圧接されながら移動すると、繊維束４が開繊バー１０の曲面で横方向に広げられて開繊される。この開繊装置としては、公知のものが適宜使用できるが、開繊バーが開繊性やコストの点ですぐれている。含浸槽１内には図示はしないが必要に応じて加熱あるいは保温装置を付設することができる。
【００１８】
本含浸ダイにおいて、繊維束導入孔７は図２の示すように入口板２に複数個が横方向に所定の間隔で設けられている。繊維束導入孔７の形状は、楕円状のもの（図３参照）が繊維束４を横方向に広げた状態で導入でき、溶融樹脂が含浸しやすくなるので好ましいが、矩形状又は円形状でもよい。その大きさは、楕円状孔の場合で横幅が約１〜５０ｍｍ、縦幅が約１〜１０ｍｍであり、導入する繊維束４の太さによって決められる。また、その個数は、生産性と実用性などの点から通常１０〜１００個程度が好ましく、その設置間隔は５〜４５ｍｍ程度が好ましい。
【００１９】
一方、引抜孔８は繊維束導入孔７と同一個数が繊維束導入孔７に対応して出口板３に設けられる。その形状は円形が一般的であるが、製造される長繊維強化樹脂材料によっては例えば楕円形などの他の形状であってもよい。その孔径は約０．３〜３ｍｍ程度である。
【００２０】
本発明は、このような含浸ダイの含浸槽内部を繊維束の引取り方向と実質的に並行な仕切部材によって区切ることを特徴とする。以下、これについて図面を参照して説明する。上記仕切部材５による区切りは、含浸槽１の内部が繊維束４を賦形ノズル（引抜孔８）に送られる単位で区分けされるように、賦形ノズルのピッチと実質的に同じピッチで行われるのが好ましい。具体的には、図２に示す如く仕切部材５を含浸槽内の各繊維束導入孔７と繊維束導入孔７のほぼ中間位置に、繊維束４の引取り方向と実質的に並行に設置し、繊維束導入孔７から含浸槽内に導入された各繊維束４が仕切部材５で区切られた領域を引抜孔８に向かって引き取られるようになっている。図３はこのように仕切部材５が設置された含浸槽１の繊維束導入孔７と仕切部材５との関係を模式的に示したもので、仕切部材５が各繊維束導入孔７と繊維束導入孔７のほぼ中間位置に設けられていることが分かる。含浸槽１はこのように賦形ノズル単位で区分けされるのが賦形ノズル毎に溶融樹脂を厳格に管理できるため最も好ましいが、複数の賦形ノズル単位で区分けすることもできる。
【００２１】
上記仕切部材５としては、長さが含浸槽１の縦幅とほぼ同じで、高さが含浸槽１の深さより小さい長尺板が好ましく使用できる。その材質は特定されないが、通常は含浸ダイの外壁と同じ材料が用いられる。本発明の好ましい仕切部材５の一つとして図４の仕切部材が挙げられる。この仕切部材５は図２のような開繊バー１０が設けられている含浸槽１に適合する。すなわち、この仕切部材５には開繊バー１０に挿通するための孔１２が長手方向に設けられており、含浸槽１内に設置するときは、孔１２に開繊バー１０を挿通してすべての仕切部材５をあらかじめ区切りの位置に合わせて開繊バー１０に係止させた状態で含浸槽１内に取り付ける。これにより、含浸槽内は開繊バー１０に係止された仕切部材５で繊維束４の引取り方向に沿って各繊維束導入孔７（引抜孔８）ごとに区分けされる。なお、開繊バーに係止された仕切部材５の端部は、必要に応じて含浸槽１の入口板２と出口板３に固定させたり、あるいは相互に連結させてもよい。また、仕切部材５が開繊バーに係止できない場合は、例えば仕切部材５の両端を入口板２と出口板３に固定することによって取り付けできる。
【００２２】
このように含浸槽内が仕切部材５によって繊維束毎にその引取り方向と並行に区切られるため、含浸槽内を引き取られる繊維束周囲での、引取り方向を横断する溶融樹脂の流れは抑止される。さらに賦形ノズル毎に仕切部材５で区切られた領域を超えて繊維束４が接触、交差するのを回避できるのでノズル切れを抑止でき、更に含浸槽１を賦形ノズルと同一ピッチで規則的に区切ることで、賦形ノズル間の差異を小さくすることが可能になる。
【００２３】
図５は他の好ましい実施の形態である仕切部材５を示す。本例の仕切部材５は下部に各開繊バー１０の位置に合わせて切込部１３が形成されており、一方開繊バー１０の仕切部材５の係止位置には図６に示すように係止用突起１４、１４’を設けておき、仕切部材５の切込部１３を該係止用突起１４、１４’の間に上方から差し込むことにより開繊バー１０に係止させることができる。本発明において仕切部材５の形体とその取付け方は、含浸槽内を繊維束４の引取り方向に区切ることができれば例示のものに限定されない。
【００２４】
含浸槽１内に仕切部材５を設ける場合、仕切部材５と含浸槽１の底部内面及び／又は上部内面との間に隙間を設けることが好ましい。この隙間は、前記したように仕切部材５の高さを含浸槽１の深さより小さくすることによって容易に得られる。具体的には含浸槽１の深さより高さが小さい仕切部材５を含浸槽１の高さ方向の真中に取り付けると、図１に示すごとく仕切部材５の上部と下部に隙間６を形成することができ、下方に片寄らせて取り付けると仕切部材５の上部のみに隙間６を形成できる。逆に上方に片寄らせると仕切部材５の下部のみに隙間６を形成できる。この隙間は仕切部材５の長さ方向の全体にわたって設けられることが好ましいが、隙間を設けない部分が部分的にあっても全体として隙間が形成されていればよい。また、隙間が仕切部材５の長さ方向の全体にわたって設けられる場合、通常は仕切部材５の長さ方向の全体にほぼ同じ大きさで設けられるが、隙間の大きさは必ずしも一定である必要性はなく、例えば含浸槽１の繊維束の導入孔側と引抜孔側とで異なってもよい。また、仕切部材５の上部と下部とで隙間の大きさを変えることもできる。
【００２５】
含浸槽１内をその深さ方向において仕切部材５で完全に区切らないで、このように隙間を設けることによって仕切部材で仕切られた領域を越えて溶融樹脂の行き来きが可能になるので、１つの賦形ノズルが詰まった際の溶融樹脂の滞留抑止効果が得られる。そして、隙間を設けても繊維束周囲においては、繊維束の引取り方向を横断する溶融樹脂の流れが仕切部材５で抑制されるので、糸切れした繊維が近傍の他の繊維束位置まで流動して交差し更なる糸切れを引き起こすことは防止される。
【００２６】
上記隙間の大きさは含浸槽１の大きさ、溶融樹脂の粘性、繊維束の引取り速度などによって適宜決められ特定されないが、その大きさとしては仕切部材５の全長における平均値としてすなわち平均して０．１〜１．５ｍｍが好ましく、より好ましくは０．３〜０．６ｍｍである。隙間が０．１ｍｍより小さいと、仕切部材５で仕切られた領域を越えて溶融樹脂の行き来きがほとんど生じなくなるため、１つの賦形ノズルが詰まった際の溶融樹脂の滞留抑止効果が充分に得られなくなるおそれがある。また１．５ｍｍ超になると、仕切部材５で区切られた領域を越えて溶融樹脂の行き来きが過度になるために、糸切れした繊維がこの溶融樹脂と一緒に近傍の他の繊維束位置まで流動して交差し更なる糸切れを引き起こすおそれが生じるので好ましくない。
【００２７】
さらに本発明の含浸ダイでは、上記したように含浸槽１内が仕切部材５で区切られるため、含浸槽への溶融樹脂供給口９は、図２に示すように含浸槽内部の仕切部材５によって区切られた区間毎に設けられるのが好ましい。含浸槽内が仕切部材５で区切られていない従来の含浸ダイでは、図８に示すように溶融樹脂供給口９が単一であっても含浸槽内に供給された溶融樹脂は自由に流動してすべての繊維束にほぼ均一に供給される。また、仕切部材５と含浸槽１の底部内面及び／又は上部内面との間に隙間を設けている場合には、溶融樹脂はある程度この隙間から隣接する区間に流動できるが、全体的には仕切部材５の制約を受けるため各区間における溶融樹脂量の均一性がほとんど得られないのが一般的である。ところが図２のように仕切部材５によって区切られた区間毎に溶融樹脂供給口９を設けると、区間毎に溶融樹脂の供給量を制御することが可能となり、各区間における溶融樹脂量を均一に管理できるとともに、糸切れが生じた区間への溶融樹脂の供給を適宜停止させることもできる。この場合、通常の含浸ダイでは仕切部材５によって区切られた各区間に、溶融樹脂供給口９を１個づつ設けるだけで溶融樹脂を充分に供給できるが、溶融樹脂供給口９は必要に応じ前記区間の繊維束４の引取り方向に複数個を設けてもよい。
【００２８】
また、上記溶融樹脂供給孔が配置の都合で各区間毎に設けられない場合は、図示はしないが含浸槽の底部の仕切部材の位置に供給孔を設け、仕切部材の両側に隣接する２区間に該供給孔から溶融樹脂を分配して供給することもできる。この場合には供給孔に対峙する仕切部材の一部を切り欠いて開口部を設けて、溶融樹脂を両区間に流れ易くすることが好ましい。
【実施例】
【００２９】
補強用長繊維として、１６μｍ径のモノフィラメントを４０００本集束してなるガラス繊維ストランドを１本引き揃えた強化繊維束を使用し、熱可塑性樹脂としてポリプロピレンに酸変性ポリプロピレンを１質量％添加したものを用いて、含浸ダイで樹脂含浸強化繊維束（ロッド）を引き取りしながらペレットを製造し、開始時のノズル本数に対するノズル切れ発生本数の1時間当たりの割合（％／ｈｒ）を比較した。含浸ダイは、１０個の導入孔（ノズル）を有する含浸槽に、Ａ：仕切部材を設けた含浸ダイ、Ｂ：仕切部材を設けない含浸ダイ、の２種類を使用し、各含浸ダイで連続してロッドを引き取りしながらペレットを製造し、各含浸ダイにおいて５本のノズル切れが発生するまでの時間から、Ａ、Ｂ両含浸ダイの１時間当りのノズル切れ発生頻度（％）を算定した。結果を表１に示す。なお、仕切部材を設けた含浸ダイＡの構成は次のとおりである。
【００３０】
（含浸ダイ構成）
仕切部材          ：ノズル単位毎に設置
仕切部材の上下隙間:下部の隙間が平均して０．３ｍｍ、上部の隙間が平均して０．６ｍｍ
溶融樹脂供給口    ：各ノズル区間毎に設置
【００３１】
【表１】
2007176086.tif 000003
表１から含浸槽に仕切部材を設けることにより、ノズル切れの発生頻度が半減されることが分かる。
【産業上の利用可能性】
【００３２】
本発明は、含浸槽内を仕切部材５で繊維束４の引取り方向に区分けすることによって、繊維束の周囲における引取り方向を横断する溶融樹脂の流れを抑止して繊維束に溶融樹脂を均一に含浸させ、かつ仕切部材で区切られた領域を超えて繊維束が接触、交差することを回避して繊維束のノズル切れを抑止できるので、高品質の長繊維強化樹脂成形材料の製造に適用できる。
【図面の簡単な説明】
【００３３】
【図１】本発明の好ましい実施形態である長繊維強化熱可塑性樹脂材料の製造用含浸ダイの概略断面説明図。
【図２】図１の含浸ダイの平面図。
【図３】繊維束導入孔と仕切部材との関係を模式的に示す斜視図。
【図４】本発明の好ましい仕切部材の正面図。
【図５】本発明の他の好ましい仕切部材の正面図。
【図６】図５の仕切部材を開繊バーに係止した係止部分の部分拡大説明図。
【図７】従来の含浸ダイの概略断面説明図。
【図８】図７の含浸ダイの平面図。
【符号の説明】
【００３４】
１：含浸室、          ２：入口板、            ３：出口板、
４：繊維束、          ５：仕切部材、          ６：隙間、
７：繊維束導入孔、    ８：引抜孔、            ９：溶融樹脂供給口、
１０：開繊バー、      １２：孔、              １３：切込部、
１４、１４’：係止用突起、      １００：含浸ダイ
【図１】
2007176086.tif 000004
【図２】
2007176086.tif 000005
【図３】
2007176086.tif 000006
【図４】
2007176086.tif 000007
【図５】
2007176086.tif 000008
【図６】
2007176086.tif 000009
【図７】
2007176086.tif 000010
【図８】
2007176086.tif 000011